(57)【要約】 【課題】  確実にＲＦＩＤタグにデータを書き込むことができるＲＦＩＤ読み込み／書き込み機能を備えたプリンタを提供すること。【解決手段】  ＲＦＩＤタグを内蔵したラベル又はタグを搬送する搬送手段２７と、前記ラベル又はタグの表面に印字を行う印字部３１と、前記ＲＦＩＤタグに対して読み取り／書き込みを行うＲＦＩＤ読み取り／書き込み装置２８と、前記ＲＦＩＤタグを動かしながらまたは前記ＲＦＩＤタグを所定量動かした後に前記ＲＦＩＤタグにデータを書き込むＲＦＩＤ書き込み手段２２とを具備したことを特徴とする。【選択図】      図３
2006185051.tif 000002
【特許請求の範囲】
【請求項１】
ＲＦＩＤタグを内蔵したラベル又はタグを搬送する搬送手段と、
前記ラベル又はタグの表面に印字を行う印字部と、
前記ＲＦＩＤタグに対して読み取り／書き込みを行うＲＦＩＤ読み取り／書き込み装置と、
前記ＲＦＩＤタグを動かしながらまたは前記ＲＦＩＤタグを所定量動かした後に前記ＲＦＩＤタグにデータを書き込むＲＦＩＤ書き込み手段とを具備したことを特徴とするＲＦＩＤ読み込み／書き込み機能を備えたことを特徴とするプリンタ。
【請求項２】
ＲＦＩＤタグを内蔵したラベル又はタグを搬送する搬送手段と、
前記ラベル又はタグの表面に印字を行う印字部と、
前記ＲＦＩＤタグに対して読み取り／書き込みを行うＲＦＩＤ読み取り／書き込み装置と、
前記ＲＦＩＤタグへの書き込みが成功したかを判定する判定手段と、
この判定手段により前記ＲＦＩＤタグへの書き込みが成功しなかったと判定された場合には、前記前記ＲＦＩＤタグを動かしながらまたは前記ＲＦＩＤタグを所定量動かした後に前記ＲＦＩＤタグにデータを書き込むＲＦＩＤ書き込み手段とを具備したことを特徴とするＲＦＩＤ読み込み／書き込み機能を備えたプリンタ。
【発明の詳細な説明】
【技術分野】
【０００１】
本発明は、非接触でデータを読み出し／書き込みすることができるＲＦＩＤ読み込み／書き込み装置を内蔵したＲＦＩＤ読み込み／書き込み機能を備えたプリンタに関する。
【背景技術】
【０００２】
一般的に、ＲＦＩＤ（Radio Frequency Identification）ラベルあるいはタグは、電波を利用することにより非接触でデータを読み書きすることができるので、バーコードに変わる技術として注目されている。
【０００３】
しかし、店舗に設置されているバーコードを読み取るシステムをＲＦＩＤ対応に切り換えてしまうと、現行のバーコードを読み取ることができなくなってしまう。
【０００４】
そこで、１つのラベルあるいはタグにバーコードの印刷とＲＦＩＤの書き込みを行う必要が発生する。このような必要性を満たすように、１つのタグにバーコードの印刷とＲＦＩＤの書き込みを行う機能を備えたプリンタが知られている（特許文献１参照）。このプリンタに示すように、ラベルをラベル搬送方向に搬送してＲＦＩＤにデータを書き込んだ後、ラベルを逆方向に搬送させてラベルの表面にバーコードを印刷するようにしていた。
【０００５】
例えば、ＲＦＩＤラベルとして図２に示すようなラベルがある。図２において、１１は台紙、１２はラベルである。そして、台紙１１とラベル１２との間には、ＲＦＩＤタグ１３が配設されている。このＲＦＩＤタグ１３は、ＲＦＩＤアンテナ１４とＲＦＩＤチップ１５で構成される。
【特許文献１】特開２００１−９６８１４
【発明の開示】
【発明が解決しようとする課題】
【０００６】
しかし、ＲＦＩＤタグ１３へのデータの書き込みは、無線技術を使用して書き込みを行うため、その書き込みに失敗する場合がある。その原因としてＲＦＩＤタグ１３やＲＦＩＤチップ１５の固体差によるものが多い。ここで、固体差とは、ＲＦＩＤタグ１３やＲＦＩＤチップ１５の構造的な差を意味する。
【０００７】
本発明は上記の点に鑑みてなされたもので、その目的は、確実にＲＦＩＤタグにデータを書き込むことができるＲＦＩＤ読み込み／書き込み機能を備えたプリンタを提供することにある。
【課題を解決するための手段】
【０００８】
請求項１記載の発明は、ＲＦＩＤタグを内蔵したラベル又はタグを搬送する搬送手段と、
前記ラベル又はタグの表面に印字を行う印字部と、前記ＲＦＩＤタグに対して読み取り／書き込みを行うＲＦＩＤ読み取り／書き込み装置と、前記ＲＦＩＤタグを動かしながらまたは前記ＲＦＩＤタグを所定量動かした後に前記ＲＦＩＤタグにデータを書き込むＲＦＩＤ書き込み手段とを具備したことを特徴とするＲＦＩＤ読み込み／書き込み機能を備えたことを特徴とする。
【０００９】
請求項２記載の発明は、ＲＦＩＤタグを内蔵したラベル又はタグを搬送する搬送手段と、前記ラベル又はタグの表面に印字を行う印字部と、前記ＲＦＩＤタグに対して読み取り／書き込みを行うＲＦＩＤ読み取り／書き込み装置と、前記ＲＦＩＤタグへの書き込みが成功したかを判定する判定手段と、この判定手段により前記ＲＦＩＤタグへの書き込みが成功しなかったと判定された場合には、前記前記ＲＦＩＤタグを動かしながらまたは前記ＲＦＩＤタグを動かした後に前記ＲＦＩＤタグにデータを書き込むＲＦＩＤ書き込み手段とを具備したことを特徴とする。
【発明の効果】
【００１０】
請求項１記載の発明によれば、ＲＦＩＤタグを動かしながらまたはＲＦＩＤタグを所定量動かした後にＲＦＩＤタグにデータを書き込むようにしたので、確実にＲＦＩＤタグにデータを書き込むことができる。
【００１１】
請求項２記載の発明によれば、ＲＦＩＤタグへの書き込みが成功しなかった場合にＲＦＩＤタグを動かしながらまたはＲＦＩＤタグを所定量動かした後にＲＦＩＤタグにデータを書き込むようにしたので、確実にＲＦＩＤタグにデータを書き込むことができる。
【発明を実施するための最良の形態】
【００１２】
以下図面を参照して本発明の一実施の形態の動作について説明する。まず、図１のブロック図を参照して、ＲＦＩＤ読み込み／書き込み機能を備えたプリンタのシステム構成について説明する。
【００１３】
図１において、２１は本装置を統括して制御するＣＰＵ（中央処理装置）である。このＣＰＵ２１からのシステムバス２１ａには、フラッシュＲＯＭ（リード・オンリ・メモリ）２２、ＲＡＭ（ランダム・アクセス・メモリ）２３、入力部２４、印字ヘッド制御部２５、表示部２６、搬送手段２７、ＲＦＩＤ読み込み／書き込み装置２８が接続される。
【００１４】
前記印字制御部２５には、印字ヘッド３１が接続される。
【００１５】
フラッシュＲＯＭ２２には、プリンタ動作に必要な各種制御プログラムが記憶されている。
【００１６】
ＲＡＭ２３には、上記各種制御プログラムで使用する作業エリアが確保される。
【００１７】
印字ヘッド制御部２５は、例えばサーマルヘッドで構成される印字ヘッド３１に対して駆動信号を出力する。
【００１８】
表示部２６は、例えば液晶表示装置より構成される。
【００１９】
搬送手段２７は、台紙１１を搬送する例えばステッピングモータ、搬送ローラ等により構成される。
【００２０】
次に、図３を参照してＲＦＩＤ読み込み／書き込み機能を備えたプリンタのハード構成の要部について説明する。
【００２１】
図３において、４１は台紙１１が搬送される搬送路である。この搬送路４１を介する台紙１１の搬送は搬送手段２７により行われる。
【００２２】
４２はプラテンである。このプラテン４２より上流側にＲＦＩＤ読み込み／書き込み装置２８が設けられている。
【００２３】
また、このプラテン４２と搬送路４１を挟んで対向するように印字ヘッド３１が配設されている。この印字ヘッド３１は例えば、サーマルヘッドで構成されている。
【００２４】
この印字ヘッド３１より上流側には、インクリボン４３を供給する供給側ローラ４４が設けられ、印字ヘッド３１の下流側には、インクリボン４３を巻き取る巻き取り側ローラ４５が設けられている。
【００２５】
図３は印字ヘッド３１がホームポジションに来たときの図２のＲＦＩＤタグ１３の位置関係を示している。図２のＲＦＩＤタグ１３は、ラベル１３内において、ＲＦＩＤアンテナ１４とＲＦＩＤチップ１５が印字ヘッド３１側に偏って埋設されている。従って、ＲＦＩＤアンテナ１４とＲＦＩＤチップ１５は、ほぼＲＦＩＤ読み込み／書き込み装置２８の上方に位置している。
【００２６】
次に、上記のように構成された本発明の一実施の形態の動作について図４のフローチャートを参照しながら説明する。まず、ＲＦＩＤ読み込み／書き込み装置２８はＲＦＩＤタグデータをＲＦＩＤタグ１３に書き込む処理を行う（ステップＳ１）。ＲＦＩＤタグデータとして商品データ（商品名、商品価格等）が挙げられる。
【００２７】
次に、ＲＦＩＤ読み込み／書き込み装置２８は、ＲＦＩＤタグ１３へのデータの書き込みが成功したかを判定する（ステップＳ２）。
【００２８】
このステップＳ２の判定で「ＹＥＳ」と判定された場合には、ラベルの発行が行われる（ステップＳ３）。つまり、印字ヘッド３１でラベル１２上に商品データとして例えば、商品名、バーコードが印刷される。
【００２９】
一方、ステップＳ２の判定で「ＮＯ」と判定された場合には、搬送手段２７によりラベル１２がフィードされながらＲＦＩＤタグ１３にデータを書き込む処理が行われる（ステップＳ４）。つまり、リトライされる。
【００３０】
そして、ＲＦＩＤタグ１３へのデータの書き込みが成功したかが判定される（ステップＳ５）。
【００３１】
このステップＳ５の判定で「ＹＥＳ」と判定された場合には、前述したようにラベル発行がなされる（ステップＳ３）。
【００３２】
一方、ステップＳ５の判定で「ＮＯ」と判定された場合には、ラベル１２の表面にエラーパターンが印刷される（ステップＳ６）。エラーパターンとしてラベル１２の表面をＸで印字するパターンが挙げられる。
【００３３】
以上のように本実施の形態によれば、ＲＦＩＤタグ１３にデータを書き込む場合にラベルをフィードさせながらデータを書き込むようにしたので、ＲＦＩＤタグ１３に確実にデータを書き込むことができる。
【００３４】
なお、上記した実施の形態では、必ずしもＲＦＩＤタグ１３をフィードさせながらではなく、ＲＦＩＤタグ１３を所定量フィードさせた後にデータを書き込むようにしても良い。
【図面の簡単な説明】
【００３５】
【図１】本発明の一実施の形態に係るＲＦＩＤ読み込み／書き込み機能を備えたプリンタのシステム構成を示すブロック図。
【図２】同実施の形態に係るＲＦＩＤラベルを示す図。
【図３】同実施の形態に係るＲＦＩＤ読み込み／書き込み機能を備えたプリンタの構成を示す図。
【図４】同実施の形態の動作を説明するためのフローチャート。
【符号の説明】
【００３６】
２１…ＣＰＵ、２２…ＲＯＭ（リード・オンリ・メモリ）、２３…ＲＡＭ（ランダム・アクセス・メモリ）、２４…入力部、２５…印字ヘッド制御部、２６…表示部、２７…搬送手段、２８…ＲＦＩＤ読み込み／書き込み装置、３１…印字ヘッド。
【図１】
2006185051.tif 000003
【図２】
2006185051.tif 000004
【図３】
2006185051.tif 000005
【図４】
2006185051.tif 000006